(57)【要約】【課題】  ラジアル荷重やぶれモーメントによるセンターピンの離脱を確実に防止できるとともに、センターピンの交換作業を容易に行うことができるアップライトピアノのバットを提供する。【解決手段】  バット４では、ハンマー３１が一体に設けられたバット本体５の背面に、左右方向に延びる直線状のピン保持溝８が形成され、この背面のピン保持溝８よりも下側の部分７ａが、上側の部分７ｂに対して前側にオフセットされ、この背面のピン保持溝８よりも上側の部分７ｂに取付ねじ９をねじ込むことで、バットプレート６がバット本体５に取り付けられている。また、バット４は、ピン保持溝８にセンターピン１１ｂの少なくとも一部を収容し、バット本体５とバットプレート６の間にセンターピン１１ｂを挟持した状態で、センターピン１１ｂを介してバットフレンジ１１に回動自在に支持されている。【選択図】  図３
2007248692.tif 000002
【特許請求の範囲】
【請求項１】
バットフレンジに左右方向に水平に延びるように設けられたセンターピンを介して、前記バットフレンジに回動自在に支持され、鍵の押鍵に伴い、ハンマーを回動させることによって打弦を行わせるアップライトピアノのバットであって、
前記ハンマーが一体に設けられ、左右方向に延びる直線状のピン保持溝を背面に有し、当該背面の前記ピン保持溝よりも下側の部分が、前記ピン保持溝よりも上側の部分に対して前側にオフセットされたバット本体と、
バットプレートと、
前記バット本体の背面の前記ピン保持溝よりも上側の部分にねじ込まれることによって、前記バットプレートを前記バット本体の背面に取り付ける取付ねじと、を備え、
当該バットは、前記ピン保持溝に前記センターピンの少なくとも一部を収容し、前記バット本体と前記バットプレートの間に前記センターピンを挟持した状態で、前記センターピンを介して前記バットフレンジに回動自在に支持されていることを特徴とするアップライトピアノのバット。
【発明の詳細な説明】
【技術分野】
【０００１】
本発明は、バットフレンジに左右方向に水平に延びるように設けられたセンターピンを介して、バットフレンジに回動自在に支持され、鍵の押鍵に伴い、ハンマーを回動させることによって打弦を行わせるアップライトピアノのバットに関する。
【背景技術】
【０００２】
従来のアップライトピアノのバットとして、例えば特許文献１に開示されたものが知られている。このバットは、一般的な構成のもので、鍵ごとに設けられており、バットには、ハンマーやキャッチャーなどが取り付けられている（以下、バット、ハンマーおよびキャッチャーを総称し、「ハンマー組立品」という）。また、バットは、その下端部において、バットフレンジのセンターピンに支持されている。バットフレンジは、左右の両端部からそれぞれ上方に突出するバット支持部を有しており、センターレールに着脱自在に取り付けられている。センターピンは、これら左右のバット支持部に、水平に回動自在に取り付けられている。
【０００３】
また、バットとして、バット本体と、このバット本体に取り付けられたバットプレートを有するものが知られている。このタイプのバットでは、バット本体の背面の下部は平面状に形成されており、この背面には、左右方向に延びる断面Ｖ字形のピン保持溝が形成されている。バットプレートは、その上端部に形成された孔に挿入された取付ねじをバット本体の背面にねじ込むことによって、バット本体に取り付けられており、この状態では、センターピンは、その大部分がピン保持溝に収容され、バット本体とバットプレートの間に挟持されており、バットプレートは、バット本体の背面に、若干の隙間を隔てた状態で対向している。以上の構成により、バットを含むハンマー組立品は、センターピンを介してバットフレンジに回動自在に支持されている。
【０００４】
以上の構成のハンマー組立品は、鍵の押鍵に伴い、アクションのジャックによりバット本体の下面が突き上げられることによって、センターピンを中心として後方に回動し、後方に張られた弦をハンマーが打弦することによって、ピアノ音が発生する。そして、この打弦後、ハンマー組立品は、弦の反発力によって元の位置に復帰回動する。
【０００５】
上述したような構成のバット本体では、押鍵に伴う回動の際、ジャックに突き上げられたときやハンマーが弦を打弦したときなど、ハンマー組立品に外力が作用したときには、バット本体からセンターピンに、その径方向にラジアル荷重が作用する。このラジアル荷重により、バット本体は、センターピンに対して相対的に上下方向に移動しようとする。すなわち、センターピン側から見た場合、センターピンは、ピン保持溝から抜け出ようとする。
【０００６】
また、アップライトピアノでは、弦が鉛直方向に対して左右に斜めに延びているため、打弦時に弦からハンマーに作用する反力の中に、ハンマーを左右方向に移動させるような反力が含まれ、その結果、センターピンを中心としてハンマーが左右方向にぶれるようなモーメント（以下「ぶれモーメント」という）が生じる場合がある。これにより、バット本体は、左右方向で見て、センターピンに対して斜めに傾き、すなわち、センターピン側から見た場合、センターピンの左右の端部は、ピン保持溝に対して上下逆向きに外方に移動しようとする。その結果、この場合には特に、センターピンがピン保持溝から抜け出やすくなる。以上のように、ラジアル荷重やぶれモーメントによりセンターピンがピン保持溝から離脱するおそれがあるため、これ防止するためには、ピン保持溝を深めに形成することが好ましい。
【０００７】
また、前述したようなバットを有するアップライトピアノでは、センターピンを交換する場合には、この交換は次のようにして行われる。すなわち、まず、バットフレンジをセンターレールから外した後、取付ねじを緩め、センターピンを、ピン保持溝から抜き出し、さらに、バットプレートとバット本体の間の隙間を介してバットから取り外す。次いで、センターピンを交換した後、そのセンターピンを、この隙間を介してピン保持溝に係合させ、取付ねじを締め付けることによってバットに取り付ける。
【０００８】
以上のように、センターピンの交換のための着脱は、バットプレートとバット本体の間の隙間を介して行われる。このため、前述したように、ラジアル荷重やぶれモーメントによるセンターピンの離脱を防止するためにピン保持溝を深めに形成した場合には、センターピンを交換しにくくなってしまう。具体的には、ピン保持溝を深めに形成すると、センターピンをバットプレートおよびバット本体で挟み込んだ状態での両者の間の隙間が極めて狭くなるので、センターピンを交換する際、センターピンを通すのに十分な隙間を確保するために、取付ねじを何度も回さなければならない。このことは、その後の取付ねじの締め付けの際も同様であり、その結果、それらの作業が煩雑であり、センターピンを交換しにくくなってしまう。
【０００９】
本発明は、以上のような課題を解決するためになされたものであり、ラジアル荷重やぶれモーメントによるセンターピンの離脱を確実に防止できるとともに、センターピンの交換作業を容易に行うことができるアップライトピアノのバットを提供することを目的とする。
【００１０】
【特許文献１】特開平６−２７９３４号公報
【発明の開示】
【課題を解決するための手段】
【００１１】
上記の目的を達成するため、請求項１に係る発明は、バットフレンジに左右方向に水平に延びるように設けられたセンターピンを介して、バットフレンジに回動自在に支持され、鍵の押鍵に伴い、ハンマーを回動させることによって打弦を行わせるアップライトピアノのバットであって、ハンマーが一体に設けられ、左右方向に延びる直線状のピン保持溝を背面に有し、背面のピン保持溝よりも下側の部分が、ピン保持溝よりも上側の部分に対して前側にオフセットされたバット本体と、バットプレートと、バット本体の背面のピン保持溝よりも上側の部分にねじ込まれることによって、バットプレートをバット本体の背面に取り付ける取付ねじと、を備え、バットは、ピン保持溝にセンターピンの少なくとも一部を収容し、バット本体とバットプレートの間にセンターピンを挟持した状態で、センターピンを介してバットフレンジに回動自在に支持されていることを特徴とする。
【００１２】
このアップライトピアノのバットでは、そのバット本体が背面に左右方向に直線状に延びるピン保持溝を有しており、バット本体の背面のピン保持溝よりも上側の部分に取付ねじをねじ込むことによって、バットプレートがバット本体に取り付けられている。センターピンは、バットフレンジに左右方向に水平に延びるように設けられており、その少なくとも一部がピン保持溝に収容され、バット本体とバットプレートの間に挟持されている。以上の構成により、バット本体は、センターピンを介して、バットフレンジに回動自在に支持されている。押鍵時には、バットは、センターピンを中心として回動し、それに伴い、ハンマーを回動させ、打弦を行わせることによって、ピアノ音が発生する。
【００１３】
また、本発明のバットによれば、バット本体の背面のうち、ピン保持溝よりも下側の部分（以下「下側背面」という）が、上側の部分（以下「上側背面」という）に対して前側にオフセットされている。このため、例えば、センターピンを交換する場合、その交換作業を容易に行うことができる。すなわち、センターピンを交換する場合には、まず、取付ねじを緩め、下側背面とバットプレートの間の隙間（以下「プレート隙間」という）を広げるとともに、センターピンを、ピン保持溝から抜き出し、さらに、プレート隙間を介してバットから取り外す。次いで、センターピンを交換した後、そのセンターピンを、プレート隙間を介してピン保持溝に係合させ、取付ねじを締め付けることによってバットに取り付ける。
【００１４】
上述したように、本発明によれば、下側背面が上側背面に対して前側にオフセットされているので、比較的大きなプレート隙間を確保できる。したがって、取付ねじを少し緩めるだけで、センターピンを通すのに十分なプレート隙間を確保できる。また、下側背面が前側にオフセットされている分、この下側背面側のピン保持溝の深さが上側背面側よりも浅くなっているので、センターピンをピン保持溝から抜き出す際、センターピンがピン保持溝に引っかかることがない。したがって、センターピンを、バットからプレート隙間を介して容易に取り外すことができる。さらに、交換したセンターピンをバットに取り付ける際には、上記のように少し緩めた取付ねじを少し締め付けるだけでよいので、センターピンの取付を容易に行うことができる。以上により、センターピンの交換作業を容易に行うことができる。
【００１５】
また、下側背面のみが前側にオフセットされているので、上側背面側ではより大きなピン保持溝の深さを確保できる。これにより、前述したぶれモーメントによりセンターピンの左右の端部がピン保持溝に対して上下逆向きに外方に移動しようとしても、センターピンの上側の部分がピン保持溝のより深い部分に収容されていることで、センターピンの左右の端部の一方は、ピン保持溝から抜け出ることはなく、それにより、センターピンの離脱が防止される。このことは、ラジアル荷重によりバット本体がセンターピンに対して下方に移動した場合も同様である。以上により、ラジアル荷重やぶれモーメントによるセンターピンの離脱を確実に防止することができる。
【発明を実施するための最良の形態】
【００１６】
以下、図面を参照しながら、本発明の好ましい実施形態について説明する。図１は、本実施形態によるアップライトピアノのバット４を適用したアクション１を、鍵盤２１およびハンマー３１などとともに、離鍵状態において示している。なお、以下の説明では、演奏者側から見て手前側を「前」、奥側を「後」として説明する。また、同図を含むすべての図面では、便宜上、ハッチングが省略されている。
【００１７】
鍵盤２１は、左右方向（図１の奥行き方向）に並んだ多数の鍵２２（１つのみ図示）によって構成されている。各鍵２２は、筬２３に立設されたバランスピン２３ａに回動自在に支持されている。
【００１８】
ハンマー３１は、鍵２２ごとに設けられており（１つのみ図示）、各ハンマー３１は、ハンマーシャンク３２およびハンマーヘッド３３を有している。ハンマーシャンク３２は、断面円形の細長い棒状に形成され、アクション１の後述するバット４の上面に立設されており、上下方向に延びている。ハンマーヘッド３３は、ハンマーシャンク３２の上端部に設けられており、離鍵状態では、後方に鉛直に張られた弦Ｓに対向している。
【００１９】
アクション１は、鍵盤２１の後端部の上方において、筬２３の左右端部にそれぞれ設けられたブラケット（図示せず）に取り付けられ、左右のブラケットの間に配置されている。また、アクション１は、鍵２２ごとに設けられたウィッペン２、ジャック３およびバット４を有している（各１つのみ図示）。左右のブラケットの間には、センターレール４１およびハンマーレール４２などが渡されており、このセンターレール４１に、ウィッペンフレンジ１０およびバットフレンジ１１が、鍵２２ごとにねじ止めされている（ともに１つのみ図示）。ウィッペン２は、その後端部において、ウィッペンフレンジ１０に回動自在に支持されている。
【００２０】
ウィッペン２は、例えば合成樹脂や木材によって所定の形状に形成されており、その前部から下方に突出するヒール部２ａを有しており、このヒール部２ａを介して、対応する鍵２２の上面後端部に設けられたキャプスタンボタン２２ａに載置されている。ウィッペン２の上面前端部には、バックチェック１２が取り付けられている。また、ウィッペン２の上面のウィッペンフレンジ１０よりも後ろ側の部分には、後述するダンパー４５を駆動するためのスプーン１３が立設されている。
【００２１】
ジャック３は、例えば合成樹脂で構成されており、射出成形によって一体成形されている。ジャック３は、前後方向に延びる基部３ａと、基部３ａの後端部から上方に延びる突上部３ｂを有しており、基部３ａと突上部３ｂとの角部において、ウィッペン２の中央部に回動自在に支持されている。ジャック３の基部３ａとウィッペン２の間には、離鍵時にジャック３を復帰回動させるためのジャックスプリング１４が設けられている。また、基部３ａの上方には、レギュレティングボタン１５が鍵２２ごとに設けられている（１つのみ図示）。このレギュレティングボタン１５は、レギュレティングブラケット１６やレギュレティングレール１７を介して、センターレール４１に固定されている。
【００２２】
前述したバットフレンジ１１は、例えば合成樹脂で構成されており、図２に示すように、左右の両端部から、ハンマー支持部１１ａ，１１ａが上方にそれぞれ突出している（１つのみ図示）。これらのハンマー支持部１１ａ，１１ａには、バット４を支持するための断面円形のセンターピン１１ｂが回動自在に取り付けられており、左右方向に水平に延びている。センターピン１１ｂの径は、例えば約１．３ｍｍである。
【００２３】
バット４は、合成樹脂により所定の形状に形成されたバット本体５と、バット本体５の背面に取り付けられた金属製のバットプレート６を有している。バット本体５の下端部は、他の部分よりも左右方向の幅が小さいピン取付部７になっている。ピン取付部７の背面には、上述したセンターピン１１ｂにバット４を取り付けるためのピン保持溝８が形成されており、このピン保持溝８は、ピン取付部７の背面の左右方向の全体にわたって直線状に水平に延びている。また、図３に示すように、ピン保持溝８は、上下一対の傾斜面８ａ，８ｂによって断面Ｖ字形に形成され、両傾斜面８ａ，８ｂは、ピン取付部７の背面に対して互いに同じ所定の角度で傾斜しており、上側の傾斜面８ａは下側の傾斜面８ｂよりも長い。
【００２４】
また、ピン取付部７の背面のうち、ピン保持溝８よりも下側の部分（以下「下側背面」という）７ａは、上側の部分（以下「上側背面」という）７ｂに対して前側にオフセットされており、そのオフセット量α（図３参照）は、例えば約０．２ｍｍに設定されている。これにより、ピン保持溝８の上側背面７ｂ側の深さＤＵは、下側背面７ａ側の深さＤＬよりも大きくなっている。
【００２５】
バットプレート６は、例えば矩形の鋼板で構成されており、その上端部には、孔６ａが形成されている。バットプレート６は、この孔６ａを介して、取付ねじ９を上述した上側背面７ｂにねじ込むことによって、ピン取付部７に取り付けられており、その背面を覆っている。
【００２６】
また、センターピン１１ｂは、その大部分がピン保持溝８に収容され、ピン取付部７とバットプレート６の間に挟持されている。以上の構成により、バット４は、センターピン１１ｂに一体に取り付けられ、センターピン１１ｂを介してバットフレンジ１１に回動自在に支持されている。
【００２７】
さらに、センターピン１１ｂの後部は、上側背面７ｂに対して若干、突出しており、それに伴い、バットプレート６と上側背面７ｂの間には、その突出長さに等しい隙間ＣＵが形成されている。また、下側背面７ａとバットプレート６の間にも隙間（以下「プレート隙間」という）ＣＬが形成されており、前述したように、下側背面７ａが前側にオフセットされている関係上、このプレート隙間ＣＬは、上側の隙間ＣＵよりも大きくなっている。
【００２８】
バット本体５の前面には、キャッチャー１８が取り付けられており、キャッチャー１８は、離鍵状態では、前述したバックチェック１２の後方に位置し、これと対向している。以下、バット４、ハンマー３１およびキャッチャー１８を総称して、「ハンマー組立品Ａ」という。さらに、バット４の背面の上端部とバットフレンジ１１の間には、バットスプリング１９が設けられており、それにより、バット４を含むハンマー組立品Ａが、図１の時計回りに付勢されている。
【００２９】
以上の構成のハンマー組立品Ａは、離鍵状態では、ジャック３の突上部３ｂがバット本体５の下面の前端部で構成される被突上部５ａに下方から係合した状態で、静止している。
【００３０】
また、アクション１の後方には、ダンパー４５が鍵２２ごとに設けられている（１つのみ図示）。ダンパー４５は、ダンパーフレンジ４５ａを介してセンターレール４１に回動自在に取り付けられたダンパーレバー４５ｂと、ダンパーレバー４５ｂの上側にダンパーワイヤ４５ｃを介して取り付けられたダンパーヘッド４５ｄと、ダンパーヘッド４５ｄを弦Ｓ側に付勢するダンパーレバースプリング４５ｅなどで構成されている。このダンパー４５は、離鍵時に、ダンパーレバースプリング４５ｅの付勢力により、ダンパーヘッド４５ｄが弦Ｓを押圧することによって、止音動作を行う。
【００３１】
次に、上述したアクション１などの押鍵の開始から離鍵の終了までの一連の動作について説明する。演奏者により離鍵状態の鍵２２が押鍵されると、鍵２２は、バランスピン２３ａを中心として図１の時計回りに回動し、その後端部に載置されたウィッペン２は、鍵２２により突き上げられることによって、上方（反時計回り）に回動する。このウィッペン２の回動に伴い、ジャック３は、ウィッペン２と一緒に上方に移動し、突上部３ｂを介してバット４を突き上げる。これにより、バット４を含むハンマー組立品Ａは、バットスプリング１９の付勢力に抗しながら、センターピン１１ｂを中心として、後方の弦Ｓに向かって反時計回りに回動する。
【００３２】
押鍵開始後、ウィッペン２が所定の角度まで回動すると、ウィッペン２の後端部に設けられたスプーン１３が、ダンパーレバー４５ｂの下端部に当接し、押圧することによって、ダンパーレバー４５ｂを、ダンパーレバースプリング４５ｅの付勢力に抗して時計回りに回動させる。これにより、ダンパーヘッド４５ｄが弦Ｓから離れ、弦Ｓが振動可能になる。
【００３３】
ウィッペン２がさらに所定の角度まで回動すると、ジャック３の基部３ａがレギュレティングボタン１５に当接する。これにより、ジャック３は、上方への移動が規制されることによって、ウィッペン２に対し、ジャックスプリング１４の付勢力に抗して時計回りに回動し、その突上部３ｂがバット４から前方に外れ（レットオフ）、バット４から離脱する。ハンマー組立品Ａは、ジャック３が離脱した後も慣性によって回動し、ハンマーヘッド３３が弦Ｓを打弦することによって、ピアノ音を発生させる。その後、ハンマー組立品Ａは、弦Ｓの反発力やバットスプリング１９の付勢力によって復帰回動を開始する。そして、押鍵が終了し、鍵２２が離鍵されると、それに伴い、鍵２２およびアクション１などは、押鍵時とは逆方向に復帰回動し、図１に示す離鍵状態に復帰することによって、押鍵の開始から離鍵の終了までの一連の動作が終了する。
【００３４】
以上のような押鍵に伴うハンマー組立品Ａの回動の際、特に、ジャック３によって突き上げられたときやハンマー３１が弦Ｓを打弦したときなど、ハンマー組立品Ａに外力が作用したときには、バット本体５からセンターピン１１ｂにラジアル荷重が作用する。これにより、バット本体５は、センターピン１１ｂに対して上下方向に移動しようとする。
【００３５】
本実施形態によれば、前述したように、下側背面７ａのみを前側にオフセットすることによって、ピン保持溝８の上側背面７ｂ側の深さＤＵがより大きくなっている。これにより、センターピン１１ｂの上側の部分がピン保持溝８のより深い部分に収容されるので、上述したラジアル荷重によりバット本体５がセンターピン１１ｂに対して下方に移動しても、センターピン１１ｂがピン保持溝８から抜け出ることはない。
【００３６】
このことは、前述したぶれモーメントがハンマー組立品Ａに作用した場合にも同様である。すなわち、ぶれモーメントによりセンターピン１１ｂの左右の端部がピン保持溝８に対して上下逆向きに外方に移動しようとしても、センターピン１１ｂの上側の部分がピン保持溝８のより深い部分に収容されていることで、センターピン１１ｂの左右の端部の一方がピン保持溝８から抜け出ることはない。以上により、ラジアル荷重やぶれモーメントによるセンターピン１１ｂの離脱を確実に防止することができる。
【００３７】
また、前述したアクション１では、センターピン１１ｂの交換が次のようにして行われる。すなわち、まず、バットフレンジ１１をセンターレール４１から外した後、バットプレート６の取付ねじ９を緩め、プレート隙間ＣＬを広げるとともに、センターピン１１ｂを、ピン保持溝８から抜き出し、さらに、プレート隙間ＣＬを介してバット４から取り外す。次いで、センターピン１１ｂを交換した後、そのセンターピン１１ｂを、プレート隙間ＣＬを介してピン保持溝８に係合させ、取付ねじ９を締め付けることによって、バット４に取り付ける。
【００３８】
本実施形態によれば、前述したように、下側背面７ａが前側にオフセットされており、それにより、プレート隙間ＣＬがより大きくなっている。したがって、取付ねじ９を少し緩めるだけで、センターピン１１ｂを通すのに十分なプレート隙間ＣＬを確保できる。また、下側背面７ａが前側にオフセットされている分、下側背面７ａ側のピン保持溝８の深さＤＬが上側背面７ｂ側よりも浅いことと、ピン保持溝８を構成する下側の傾斜面８ｂが斜め下方に直線的に延びていることから、センターピン１１ｂをピン保持溝８から抜き出す際、センターピン１１ｂがピン保持溝８に引っかかることがない。したがって、センターピン１１ｂをバット４からプレート隙間ＣＬを介して容易に取り外すことができる。さらに、交換したセンターピン１１ｂを取り付ける際には、上記のように少し緩めた取付ねじ９を少し締め付けるだけでよいので、センターピン１１ｂの取付を容易に行うことができる。以上により、センターピン１１ｂの交換作業を容易に行うことができる。
【００３９】
なお、本発明は、説明した実施形態に限定されることなく、種々の態様で実施することができる。例えば、実施形態では、ピン保持溝８の断面形状がＶ字形であるが、これに限らず、他の適当な形状を採用してもよく、例えば半円形でもよい。この場合においても、下側背面７ａが前側にオフセットされている分、下側背面７ａ側のピン保持溝の深さが浅いので、センターピン１１ｂを、ピン保持溝に引っかかることなく、容易に抜き出すことができる。
【００４０】
また、実施形態では、バットフレンジ１１に回動自在に取り付けたセンターピン１１ｂに、バット４を一体に取り付けているが、バットフレンジ１１にセンターピン１１ｂを一体に取り付け、そのようなセンターピン１１ｂに、バット４を回動自在に取り付けてもよい。その他、本発明の趣旨の範囲内で、細部の構成を適宜、変更することが可能である。
【図面の簡単な説明】
【００４１】
【図１】本実施形態によるバットを適用したアップライトピアノのアクションを、鍵盤およびハンマーなどとともに、離鍵状態において示す側断面図である。
【図２】図１のバットなどを、バットフレンジおよびセンターピンを破断した状態で示す部分拡大図である。
【図３】図２のセンターピンなどを示す部分拡大図である。
【符号の説明】
【００４２】
４  バット
５  バット本体
６  バットプレート
７ａ  下側背面（バット本体の背面のピン保持溝よりも下側の部分）
７ｂ  上側背面（バット本体の背面のピン保持溝よりも上側の部分）
８  ピン保持溝
９  取付ねじ
１１  バットフレンジ
１１ｂ  センターピン
２２  鍵
３１  ハンマー
Ｓ  弦
【図１】
2007248692.tif 000003
【図２】
2007248692.tif 000004
【図３】
2007248692.tif 000005